(57)【要約】【課題】  装着者の様々な体型に対応することができ易いウエスト回りの構造と診察中のスカートの汚染に対しての対処作を兼ね備えているスカートの製作方法を提供する。【解決手段】本発明のスカート１は、受診の際に用いられ得るものであってかつ下半身を裸にして身に着けるものであり、ウエスト部開口周縁部７はウエスト締め用の紐状体６を有し、前側２と後側３は上方で互いに重なり合わされた内面部形成用布４と外面部形成用布５からなる重ね合わせ部分とされ、その前側２のウエスト部開口周縁部７には即座に取り外すことで脱衣が完了する着脱部位１２が設けられ、ウエスト部開口周縁部に挿通する紐状体の本数を１本の場合と２本の場合により後側のウエスト部開口周縁部７の重ね合わせ部分１３の構造を設定することで装着者の様々な体型に対応することが可能な構成になっている。【選択図】  図１
2005240256.tif 000002
【特許請求の範囲】
【請求項１】
各々独立した２枚の形成用布を部分的に重ね合わせ一体化して構成されたスカートであって、ウエスト部開口周縁部にウエスト締め用の紐状体が１本ないし２本設けられ、そのウエスト部開口周縁部には前側および後側上方に２枚の内面部形成用布と外面部形成用布が部分的に重ね合わされ、その前側重ね合わせ部分の上方には、必要に応じ前記ウエスト部開口周縁部の解放が可能となる着脱部位が設けられ、又後側重ね合わせ部分においては開脚時両脚を横に拡げるに伴って脚部開口で上方から下方に向かい前記内面部形成用布と前記外面部形成用布との重なりが漸次開放され、両脚を閉じた状態では前記外面部形成用布より被覆されることを特徴とするスカートの製作方法。
【請求項２】
前記ウエスト部開口周縁部における後側重ね合せ部分において、独立構成された２枚の形成用布を重ね合わせた後、前記紐状体を通すための挿通個所を設置し、１本の紐状体を通すことを特徴とした請求項１に記載のスカートの製作方法。
【請求項３】
前記ウエスト部開口周縁部における後側重ね合わせ部分において、その独立構成された前記２枚の形成用布に個別に前記紐状体を通すための挿通個所を設置した後、その前記２枚の形成用布を重ね合わせ２本の紐状体を通すことを特徴とした請求項２に記載のスカートの製作方法。
【請求項４】
前記ウエスト部開口周縁部の後側重ね合わせ部分近傍において前記内面部形成用布外側および前記外面部形成用布内側に前記紐状体を通すため夫々の挿通穴が設けられていることを特徴とする請求項３に記載のスカートの製作方法。
【請求項５】
前記ウエスト部開口周縁部における前側重ね合わせ部分には、必要に応じ解放するための着脱可能な接着部位が設けられていることを特徴とする請求項４に記載のスカートの製作方法。
【請求項６】
前記紐状体の設置位置は、前記ウエスト部開口周縁部の前側重ね合わせ部分を除いたウエスト開口周縁部に設けられていることを特徴とする請求項５に記載のスカートの製作方法。
【発明の詳細な説明】
【技術分野】
【０００１】  本発明は、医療用のスカートに関し、更に詳しくはスカート及びその製作方法に関するものである。
【背景技術】
【０００２】  従来から、医療用のスカートとして、ウエスト部開口周縁部に紐状体のゴム状紐などを設け、その前側部分に重ね合わせ部分と下腹部覆い布片を設置したものが知られている（例えば、特許文献１参照。）。
【特許文献１】  特許第３４９９８６７号
【発明の開示】
【発明が解決しようとする課題】
【０００３】  ところで、医療機関での婦人の下腹部の診療・診察では、受診者は下半身を医師に露呈させて診察を受けなければならないが、下半身を被覆する衣類を脱いでから診察台に上がって診察を受けるまでに時間がかかりすぎるような場合、その間、下半身を露呈したまま診察を待っていなければならず、人の目に触れるのが気になり、少なからず恥ずかしい思いをする場合がある。【０００４】  ワンピース・スカートなどの私服を着て診療・診察を受ける場合には、診察を待っている間は下半身の露出を防ぐことができ、恥ずかしい思いをしないでもすむことはすむと思えるが、診察を受ける際に衣類に汚れが付着しないように気遣う必要があり、しかも衛生面においても好ましくないため、私服を着たまま診察を受けるのも気の進まない思いをするものである。【０００５】  また、医療機関では、人目が気にならないようにするため、診察室に仕切りカーテンが設けられてはいるが、受診者が診察台へ上がったり、診察台から降りたりする際にはその昇り降りをスムーズに行うことができるように、看護師が仕切りカーテンをたくし上げることがあり、人目がことさら気になる受診者にとっては必ずしも思わしくない。【０００６】    更に、先に提案されている受診用のスカートは、診察中にかなりの汚染が生じた場合にそのスカートを装着したまま診察台を降りることになり、衛生面で決して好ましいとは言えない。【０００７】  しかも、スカート後部面が連続した１枚の素材で構成されているため、着用者が装着する際にウエスト部開口周縁部に伸縮性の紐状体が用いられているとしても、その紐状体が挿通されたウエスト部開口周縁部を最大に引き伸ばした時のサイズは、その紐状体を挿通していない時の寸胴形状態でのウエスト部開口周縁部のサイズと同サイズでありそれ以上ウエスト回りを大きくすることは望めないことから製造上着用者の体型に合わせたサイズ別の種類が多く必要となってくるため、コスト面で問題が生じ易い。【０００８】  また、スカートの後部面が連続した１枚の素材で構成されているため、着用者が診察時に両脚部を横に開く動作をした場合に左右に引っ張られる状態によりその後部面の破損も考えられる。【０００９】  本発明は、上記の事情に鑑みて為されたもので、仮に汚染が生じた場合にも診察終了後に装着者の体勢を変えることがなくスカートをスムーズに取り外して診察台を降りることができるため、受診者に不快感を与えることがなく衛生面にも考慮されたスカートであり、またウエスト部開口周縁部に２本の紐状体を設ける構造を用いたことで伸縮性がより高められるため、従来のスカートに比べるとウエスト回りが大きい人にも対応し易い。しかも、本スカートの後部面が重ね合わされた構造になっていることで診察時の両脚部を横に拡げる動作にも柔軟に対応することができ左右に引っ張られる状態でも後部面の破損の可能性が低くなる着脱に便利なスカート及び製作方法を提供することを目的とする。
【課題を解決するための手段】
【００１０】    請求項１に記載のスカートの製作方法は、各々独立した２枚の形成用布を部分的に重ね合わせ一体化して構成されたスカートであって、ウエスト部開口周縁部にウエスト締め用の紐状体が１本ないし２本設けられ、そのウエスト部開口周縁部には前側および後側上方に２枚の内面部形成用布と外面部形成用布が部分的に重ね合わされ、その前側重ね合わせ部分の上方には、必要に応じ前記ウエスト部開口周縁部の解放が可能となる着脱部位が設けられ、又後側重ね合わせ部分においては開脚時両脚を横に拡げるに伴って脚部開口で上方から下方に向かい前記内面部形成用布と前記外面部形成用布との重なりが漸次開放され、両脚を閉じた状態では前記外面部形成用布より被覆されることを特徴とする。【００１１】  前記ウエスト部開口周縁部における後側重ね合せ部分において、独立構成された２枚の形成用布を重ね合わせた後、前記紐状体を通すための挿通個所を設置し、１本の紐状体を通すことを特徴とする。【００１２】  前記ウエスト部開口周縁部における後側重ね合わせ部分において、その独立構成された前記２枚の形成用布に個別に前記紐状体を通すための挿通個所を設置した後、前記２枚の形成用布を重ね合わせ２本の紐状体を通すことを特徴とする。【００１３】    前記ウエスト部開口周縁部の後側重ね合わせ部分近傍において前記内面部形成用布外側および前記外面部形成用布内側に前記紐状体を通すため夫々の挿通穴が設けられていることを特徴とする。【００１４】    前記ウエスト部開口周縁部における前側重ね合わせ部分には、必要に応じ解放するための着脱可能な接着部位が設けられていることを特徴とする。【００１５】  前記紐状体の設置位置は、前記ウエスト部開口周縁部の前側重ね合わせ部分を除いたウエスト部開口周縁部に設けられていることを特徴とする。
【発明の効果】
【００１６】  本発明に係わるスカートによれば、診察中にスカートが汚染された場合、受診者が診察台上で受診体勢のままスムーズにスカートを取り外し置いて、その診察台から降りることができるので装着者が不快感を抱くことがなく衛生的であるという効果を奏する。【００１７】  すなわち、本スカートのウエスト部開口周縁部前側の重ね合わせ部分に着脱可能な接着部位を設けることで診察体勢のまま即座に脱衣を完了させ、スカートの汚染が装着者へ付着することを極力回避することができる。【００１８】  またウエスト部開口周縁部の後側を重ね合わせることで装着者が両脚を横に拡げた場合にもスカート脚部開口が下方に向けて漸次開放されそのスカート後部面の破損を回避できる。【００１９】  また、そのウエスト部開口周縁部の後側重ね合わせ部分の構造により着脱動作の過程ではそのウエスト部開口周縁部のサイズが、その紐状体を挿通する前の寸胴状態を形成したウエスト部開口周縁部サイズより大きくすることができる。【００２０】  すなわち、ウエスト部開口周縁部がフリーサイズ様を呈するため受診者の体型を選ぶことなく仮に妊産婦であってもその時期を問わず様々なサイズに対応し易くすることができる。
【発明を実施するための最良の形態】
【００２１】  以下に図面を参照しつつ実施例を説明する。
【実施例】
【００２２】  図１は本発明の実施の形態に係わるスカート１の外観図であり、受診者が装着する前にウエスト部を解放した状態を示している。【００２３】  このスカート１は、受診の際に下半身を裸にして身に着け、下半身の露呈を防止するためのものである。このスカート１はその前側２と後側３が上方で重ね合わされた内面部形成用布４と外面部形成用布５とからなる重なり部分を有する。【００２４】  そのスカート１の前側２の上部にはウエスト部を必要に応じて解放するための前側重ね合わせ部分着脱部位１２が設けられている。【００２５】  前記前側着脱部位１２を除いたウエスト回りにウエスト締め用の紐状体６が設けられウエスト部開口周縁部７とされている。図７の後側重ね合わせ部分１３の拡大図で示すようにウエスト部開口周縁部７を折山線１９で折り返すことで紐状体６の挿通個所ＨａとＨｂが設けられ図２で示すように前記前側着脱部位１２を除いて前記ウエスト部開口周縁部７にギャザー８が形成されている。その紐状体６にはここでは糸状ゴムが用いられる。【００２６】  そのスカート１は、前側２と後側３が下方に向かうに伴って拡げられその内面部形成用布４と外面分形成用布５との重ね合わせ部分が解放された脚部開口９を有しその内面部形成用布４の上部には下腹部覆い布片Ｋが設けられている。【００２７】  そのスカート１の後側３は、図２のスカート後部面を示す図で明らかなようにその内面部形成用布４は受診者が両脚を閉じた状態で外面部形成用布５より被覆され、その一辺１０ａと１０ｂの下方は受診者が診察台に上って着座し両脚を横に拡げるに伴ってその臀部に敷くことが可能な重ね合わせ部分を残し、漸次解放される。【００２８】  このスカート１は、図５の２枚の展開図で示すようにその２枚の独立形成され夫々に湾曲形状の輪郭線１０ａと１０ｂを有する２枚の内面部形成用布４と外面部形成用布５を用いて製作される。【００２９】  この２枚のスカート形成用布の一方内面部形成用布４には図５に示すようにその左方に一片の前部下腹部覆い布片Ｋと前部仮想重ね合わせ線１４ａをまた右方に後部重ね合わせ線１５ａを有し、他方外面部形成用布５にはその右方に前部仮想重ね合わせ線１４ｂと左方に後部仮想重ね合わせ線１５ｂが設けられる。【００３０】  その２枚の前記形成用布４と前記形成用布５は各々の後部仮想重ね合わせ線１５ａと１５ｂを含めその近傍部分が後側３とされる。その一方の内面部形成用布４ではその左方にある前部下腹部覆い布片Ｋが設けられた方の仮想重ね合わせ線１４ａから一辺１０ａの間を前部左辺部１６ａとしその右方の後部仮想重ね合わせ線１５ａから一辺１０ａの間を後部右辺部１７ａとする。また他方の外面部形成用布５の右方にある前部仮想重ね合わせ線１４ｂから一辺１０ｂの間を前部右辺部１６ｂとする。【００３１】  その２枚の内面部形成用布４と外面部形成用布５は、図５に示すようにその前記形成用布４の左辺部１６ａと前記形成用布５の右辺部１４ｂとを仮想重ね合わせ線１４ａと１４ｂで重ね合わせることによりウエスト周縁部前側着脱部位１２を有する前側２が重ね合わされ、また内面部形成用布４の右辺部１７ａと外面部形成用布５の左辺部１７ｂとを仮想重ね合わせ線１５ａおよび１５���で重ね合わせることにより図６で示すように後側３が重ねあわされた寸胴形状体１８が形成される。【００３２】  その寸胴形状体１８は、図６で明らかなように紐状体６をそのウエスト開口周縁部７の紐状体挿通個所ＨａおよびＨｂに挿通する前はそのウエスト部開口１１と脚部開口９とが略同一サイズである。その紐状体６をウエスト部開口周縁部７の前記前側着脱部位１２を除いた前記周縁部の紐状体挿通個所ＨａおよびＨｂに挿通すると、図１に示すように、ウエスト部開口１１が脚部開口９よりも狭められてかつスカート１の着脱の過程では、ウエスト部開口周縁部７の前側着脱部位１２を解放した状態のスカートが形成される。【００３３】  ギャザー８は前記前側着脱部分１２を除いたウエスト部開口周縁部７の紐状体挿通個所ＨａおよびＨｂに挿通する際に形成される。【００３４】  この発明の実施の形態に係わるスカートによれば、図１に示すようにウエスト部開口周縁部の前側着脱部位１２を解放してその着脱を行うことができる。【００３５】  ここでは図２で示されたウエスト部開口周縁部７の後側重ね合わせ部分１３を構成するための２本の紐状体挿通方法と１本の紐状体挿通方法および製作方法を明記する。【００３６】  その一方は、紐状体６を２本挿通する製作方法として図７のウエスト部開口周縁部後側重ね合わせ部分の拡大図で示すように２枚の内面部形成用布４と外面部形成用布５のウエスト部開口周縁部７の後側重ね合わせ部分１３近傍で内面部形成用布４の外側に１つの紐状体挿通口Ａを設け、同じくその外面部形成用布５の内側に１つの紐状体挿通口Ｂを設けた後夫々の形成用布の折り山線１９を折り返すことによって前記紐状体６を挿通させるための紐状体挿通個所ＨａおよびＨｂを夫々に設けこの２枚の別個に製作された内面部形成用布４と外面部形成用布５を前記ウエスト部周縁部７で部分的に重ね合わせて製作する方法である。【００３７】  その他方は、紐状体６を１本挿通する製作方法として図８のウエスト部開口周縁部後側重ね合わせ部分の拡大図で示すように２枚の内面部形成用布４と外面部形成用布５を後側重ね合わせ部分で重ね合わせた後ウエスト部開口周縁部７の折山線１９で揃って折り返しその前記内面部形成用布４と前記外面部形成用布５のウエスト部開口周縁部７が部分的に一体化することによって前記紐状体挿通個所Ｈａおよび前記紐状体挿通個所Ｈｂが一本の連続した紐状体挿通個所ＨａおよびＨｂを構成して製作する。【００３８】  尚、その２本の紐状体６の挿通方法としてここでは前記２枚の前側重ね合わせ部分１２を除いたウエスト部開口周縁部７においてその２本の紐状体６の一方１本をその内面部形成用布４の前側重ね止まり部Ｃから紐状体挿通個所Ｈａを通し紐状体挿通口Ｅから出し更に外面部形成用布５に設けられた紐状体挿通穴Ｂに差し込みその紐状体挿通個所Ｈｂを通してその前側重ね止まり部Ｄで止める方法。【００３９】  尚、紐状体６の他方１本の挿通方法はその外面部形成用布５の前側重ね止まり部Ｄから紐状体挿通個所Ｈｂを通し紐状体挿通口Ｇから出し更に内面部形成布４に設けられた紐状体挿通穴Ａに差し込みその紐状体挿通個所Ｈａを通してその前側重ね止まり部Ｃで止める挿通方法である。【００４０】  尚、���の１本の紐状体挿通方法はそのウエスト部開口周縁部７の前部着脱部位１２を除いた周縁部において前記内面部形成用布４の前部重ね合わせ止まりＣからその紐状体挿通個所Ｈａを通しその重ね合わせ部分を通し外面部形成用布５の紐状体挿通個所Ｈｂを通しその前側重ね合わせ止まり部Ｄで止める挿通方法である。【００４１】  この構成によりその紐状体６を２本挿通する方法では、図３に示すようにウエスト部開口周縁部７の伸縮状態は着用者が装着時にそのウエスト部開口周縁部７を最大限伸ばした状態でスカート１の内面部形成用布４と外面部形成用布５のウエスト部開口周縁部７の前記後側重ね合わせ部分１３が必要に応じその２本の紐状体６のみで繋がった状態にまで引き伸ばされ完全に左右に引き離された解放状態を成すため装着完了後着用者のサイズに随時適応することができ大きいサイズにも幅広く対応することが可能である。【００４２】  また、図４の前記ウエスト部開口周縁部７を真上から見た図面でその伸縮方法を説明すると、着用者がスカート１を装着する際にこのウエスト部開口周縁部７の前側着脱部位１２を向こう側にまた後側重ね合わせ部分１３を手前側に設定し、前記周縁部７においてその前側着脱部位１２の中心個所Ｆから後側重ね合わせ部分１３の中心個所Ｂまでの長さの左右の半分地点ＬおよびＲに夫々同時に両手を掛けその前記周縁部７を横に軽く引っ張ると図３で示すようにそのウエスト部開口周縁部７が両横方向に引き伸ばされた楕円様を呈し、そのまま両手をウエスト部開口周縁部７の中心方向へ寄せると同時にこのウエスト部開口周縁部７ではその後側重ね合わせ部分１３の内面部形成用布４と外面部形成用布５が徐々に元の位置に引き戻され前記図７の拡大図で示したようにそのウエスト部開口周縁部７を左右に引き伸ばす前の後側重ね合わせ部分１３を形成し大きな伸縮性を確保することができるように構成されている。【００４３】  実施例では、糸状ゴムを用いたものについて説明したが、平ゴム、紐などを用いても良い。
【産業上の利用可能性】
【００４４】  このスカート１に係わる発明は、介護用サービス業、エステティックサービス業、衣類製造業、その他産業分野にも利用され得る。
【図面の簡単な説明】
【００４５】
【図１】  本発明に係わるスカートの外観図である。
【図２】  本発明に係わるスカートの外観図であって、図１に示すスカートの後部面を示す図である。
【図３】  図２に示すスカートをウエスト開口周縁部で左右に引き伸ばした図である。
【図４】  図３に示すウエスト開口周縁部を真上から見た平面図である。
【図５】  図１に示すスカートに用いる２枚のスカート形成用布の展開図である。
【図６】  図５に示す２枚のスカート形成用布を用いた寸胴形状態の説明図である。
【図７】  図２に示す２本の紐状体が挿通されたウエスト周縁部後側重ね合わせ部分の拡大図である。
【図８】  図２に示す１本の紐状体が挿通されたウエスト周縁部後側重ね合わせ部分の拡大図である。
【符号の説明】
【００４６】１・・スカート
４・・内面部
５・・外面部
６・・紐状体
９・・脚部開口
１１・・ウエスト部開口
１２・・ウエスト部前側着脱部位
【図１】
2005240256.tif 000003
【図２】
2005240256.tif 000004
【図３】
2005240256.tif 000005
【図４】
2005240256.tif 000006
【図５】
2005240256.tif 000007
【図６】
2005240256.tif 000008
【図７】
2005240256.tif 000009
【図８】
2005240256.tif 000010